(57)【要約】【課題】底面の溝により排水性を向上させた靴底を提供する。【解決手段】アウトソール２２の底面に溝３０を備えた靴底において、上記溝を、アウトソールの底面の踵部２９の後端中央縁部と、踵部２９の前端中央縁部より内側の縁部とを連通する後側主溝３２、および、踏付け部２７の後端中央縁部より内側の縁部と、爪先部２６の前端中央縁部とを連通し、内方に膨らむように全体的に湾曲した前側主溝３３を有するものとする。【選択図】図１
2013000541.tif 000002
【特許請求の範囲】
【請求項１】
歩行面と接触するアウトソールの底面に溝を備えた靴底であって、
前記溝は、アウトソールの底面の踵部後端中央縁部と、踵部前端中央縁部より内側の縁部とを連通する後側主溝、および、踏付け部後端中央縁部より内側の縁部と、爪先部前端中央縁部とを連通し、内方に膨らむように全体的に湾曲した前側主溝を有することを特徴とする靴底。
【請求項２】
アウトソールの底面の土踏まず部には、前記溝が設けられていない請求項１に記載の靴底。
【請求項３】
アウトソールの底面の前記後側主溝ならびに前記前側主溝より内側部分および外側部分をそれぞれ複数のブロックに分割する複数の枝溝を有し、
前記枝溝のそれぞれは、一端が前記後側主溝または前記前側主溝に直接もしくは間接的に連通し、他端が前記底面の内側縁部または外側縁部に直接もしくは間接的に連通している請求項１または２に記載の靴底。
【請求項４】
前記枝溝のそれぞれは、その長手方向に対して直交する溝幅が、前記後側主溝および前記前側主溝の長手方向に対して直交する溝幅と同じであるか、前記後側主溝および前記前側主溝の長手方向に対して直交する溝幅より小さく形成されている請求項３に記載の靴底。
【請求項５】
前記複数の枝溝のうち前記底面の内側縁部または外側縁部に直接連通している枝溝は、前記底面の内側縁部もしくは外側縁部に向かって溝幅および／または高さが次第に大きくなるように形成されている請求項３または４に記載の靴底。
【請求項６】
前記複数のブロックのそれぞれに、一端が前記枝溝または前記底面の周縁部に連通し、他端が閉塞した細溝が設けられている請求項３〜５のいずれか１項に記載の靴底。
【請求項７】
前記後側主溝は、間隔をおいて並列に２列配置された内後主溝および外後主溝を有し、前記前側主溝は、間隔をおいて並列に２列配置された内前主溝および外前主溝を有し、
前記内後主溝および前記外後主溝の間、ならびに、前記内前主溝および前記外前主溝の間には、前記枝溝および前記細溝が設けられていない請求項１〜６のいずれか１項に記載の靴底。
【請求項８】
請求項１〜７のいずれか１項に記載の靴底を装着したことを特徴とする靴。
【発明の詳細な説明】
【技術分野】
【０００１】
本発明は、底面の溝により排水性を向上させた靴底およびそれを用いた靴に関する。
【背景技術】
【０００２】
降雨、降雪などにより水に濡れた歩行面（路面、地面等）が滑りやすいのは、水に濡れた歩行面を移動する歩行時に、靴底の底面と歩行面との間に水が介在するからであり、この水を靴底の底面より速やかに排出することによって滑りを抑制することができる。
【０００３】
一方、従来、油や油分を含有する液体が付着した平滑な床面での作業用防滑靴底として、特許文献１のものが提案されている。特許文献１の防滑靴底は、油または油分を含有する液体が付着した平滑な床面と靴底接地面との固体界面で、荷重による圧力下にある流体が介在し、靴底に介在する流体を靴底外へ排出するために靴底接地部の外周に流体を密閉する周壁が無く、縦横の溝を有するブロック意匠パターンを有するものである（特許請求の範囲、図１参照）。
【先行技術文献】
【特許文献】
【０００４】
【特許文献１】特開２００４−２６７４０７号公報
【発明の概要】
【発明が解決しようとする課題】
【０００５】
前述した特許文献１の靴底は、ブロック意匠パターンの縦横の溝により、靴底に介在する流体を靴底外へ排出するものであり、これにより底面の溝による流体の排出性を向上させて防滑性を高めたものである。
【０００６】
これに対し、靴底の溝による流体の排出性のさらなる向上のために、歩行時等に靴底が歩行面から離れるときの靴底の溝における流体の流動性を高めることが望まれる。
【０００７】
本発明は、上述した事情に鑑みてなされたもので、歩行時等に靴底が歩行面から離れるときの靴底の溝における流体の流動性を高め、靴底の溝による排水性をさらに向上させることにより、滑り抑制効果を高めた靴底およびそれを用いた靴を提供することを目的とする。
【課題を解決するための手段】
【０００８】
前述した目的を達成するため、請求項１に記載の本発明の靴底の特徴は、歩行面と接触するアウトソールの底面に溝を備えた靴底であって、前記溝は、アウトソールの底面の踵部後端中央縁部と、踵部前端中央縁部より内側の縁部とを連通する後側主溝、および、踏付け部後端中央縁部より内側の縁部と、爪先部前端中央縁部とを連通し、内方に膨らむように全体的に湾曲した前側主溝を有する点にある。そして、このような構成を採用したことにより、歩行時において底面に踵部から爪先部に向かって順次加わる圧力と接触部分の移動により、底面と歩行面との間に介在する水を後側主溝および前側主溝に流入させるとともに、後側主溝および前側主溝に流入した水を、後側主溝の後側から前側および前側主溝の後側から前側に向かって速やかに流動させて、後側主溝および前側主溝の前端から速やかに排水することができる。この場合、本発明では、後側主溝が、アウトソールの底面の踵部後端中央縁部と、踵部前端中央縁部より内側の縁部とを連通しているため、歩行時に足の踏付け部で歩行面を蹴り出し、靴底の踵部が歩行面から大きく離れたときの後側主溝における水の流動性が向上するため、後側主溝の前端から水が良好に排出される。また、前側主溝が、踏付け部後端中央縁部より内側の縁部と、爪先部前端中央縁部とを連通し、内方に膨らむように全体的に湾曲しているので、歩行時に足の爪先部で歩行面を蹴り出し、靴底の踏付け部が歩行面から大きく離れたときの前側主溝における水の流動性が向上するため、前側主溝の前端から水が良好に排出される。その結果、本発明では、溝による排水性を向上させることができる。
【０００９】
請求項２に記載の本発明の靴底の特徴は、請求項１において、アウトソールの底面の土踏まず部には、前記溝が設けられていない点にある。そして、このような構成を採用したことにより、後側主溝の前端および前側主溝の後端が土踏まず部に開口した状態となるので、後側主溝の前端からの水の流出がスムースに行われ、溝による排水性をさらに向上させることができる。
【００１０】
請求項３に記載の本発明の靴底の特徴は、請求項１または２において、アウトソールの底面の前記後側主溝ならびに前記前側主溝より内側部分および外側部分をそれぞれ複数のブロックに分割する複数の枝溝を有し、前記枝溝のそれぞれは、一端が前記後側主溝または前記前側主溝に直接もしくは間接的に連通し、他端が前記底面の内側縁部または外側縁部に直接もしくは間接的に連通している点にある。そして、このような構成を採用したことにより、複数の枝溝は、排水路を多くすることができる。また、歩行時に底面のブロックと歩行面との間に介在する水を枝溝に速やかに流入させて、後側主溝や前側主溝に流入させたり、底面の内側縁部または外側縁部を介して外部に速やかに排水させたりすることができる。また、後側主溝や前側主溝を後側から前側に向かって流動する水の少なくとも一部を内側縁部あるいは外側縁部を介して外部に排水できる。すなわち、水の少なくとも一部の排水路を短くすることができる。
【００１１】
請求項４に記載の本発明の靴底の特徴は、請求項３において、  前記枝溝のそれぞれは、その長手方向に対して直交する溝幅が、前記後側主溝および前記前側主溝の長手方向に対して直交する溝幅と同じであるか、前記後側主溝および前記前側主溝の長手方向に対して直交する溝幅より小さく形成されている点にある。そして、このような構成を採用したことにより、枝溝から後側主溝および前側主溝への水の流動性が向上するので、溝による排水性を向上させることができる。
【００１２】
請求項５に記載の本発明の靴底の特徴は、請求項３または４において、前記複数の枝溝のうち前記底面の内側縁部または外側縁部に直接連通している枝溝は、前記底面の内側縁部もしくは外側縁部に向かって溝幅および／または高さが次第に大きくなるように形成されている。そして、このような構成を採用したことにより、枝溝による水の排水出口を大きくすることができる。
【００１３】
請求項６に記載の本発明の靴底の特徴は、請求項３〜５のいずれか１項において、前記複数のブロックのそれぞれに、一端が前記枝溝または前記底面の周縁部に連通し、他端が閉塞した細溝が設けられている点にある。そして、このような構成を採用したことにより、排水路をより多くできる。また、細溝は、歩行時に底面のブロックと歩行面との間に介在する水を枝溝に速やかに流入させたり、あるいは底面の周縁部からより速やかに排水させたりすることができる。
【００１４】
請求項７に記載の本発明の靴底の特徴は、請求項１〜６のいずれか１項において、前記後側主溝は、間隔をおいて並列に２列配置された内後主溝および外後主溝を有し、前記前側主溝は、間隔をおいて並列に２列配置された内前主溝および外前主溝を有し、前記内後主溝および前記外後主溝の間、ならびに、前記内前主溝および前記外前主溝の間には、前記枝溝および前記細溝が設けられていない点にある。そして、このような構成を採用したことにより、内後主溝および内前主溝は、底面の内側に付着した水を集水して排水し、外後主溝および外前主溝は、底面の外側に付着した水を集水して排水するので、集水および排水機能を内側と外側とに２分割することができる。これに対し、後側主溝および前側主溝を１本の幅広の溝とした場合は、靴底が左右に屈曲しやすくなりすぎたり、靴底に起因して歩行者が違和感を感じたりする可能性があるなど、靴底としての機能が低下するおそれが生じる。
【００１５】
請求項８に記載の本発明の靴の特徴は、請求項１〜７のいずれか１項に記載の靴底を装着した点にある。そして、このような構成を採用したことにより、靴底の溝により排水性を向上させることができる。また、靴底の溝により排水性が向上するので、水に濡れた歩行面を移動する歩行時に滑りにくい。
【発明の効果】
【００１６】
本発明の靴底および靴は、溝による排水性が良好であるため、水に濡れた歩行面の歩行時に滑りにくいなどの優れた作用効果を奏する。本発明の靴底および靴は、水以外に、油などの靴が滑りやすい流体で濡れた歩行面に対しても有効である。
【図面の簡単な説明】
【００１７】
【図１】本発明に係る靴底を装着した靴の実施形態の下面図である。
【図２】図１の要部の断面図であり、（ａ）は前側主溝、（ｂ）は第１〜第４主枝溝、（ｃ）は接続溝、（ｄ）は細溝である。
【発明を実施するための形態】
【００１８】
以下、本発明を図面に示す実施形態により説明する。図１は本発明に係る靴底を装着した靴の実施形態の下面図、図２は要部の断面図である。なお、図１は右足用靴のみを示しているが、右足用靴と左足用靴とは左右対称である。また、靴は、図１の右方向が足の内側であり、左方向が足の外側であり、図１の上方が足の前側であり、図１の下方が足の後側である。
【００１９】
本実施形態の靴１０（右足用）は、従来と同様に、靴底２０と図示しないアッパー部とを有している。なお、アッパー部としては、従来公知の各種のものを用いることができる。
【００２０】
前記靴底２０は、歩行面との接触面となる底面２２ａを具備するアウトソール２２と、アウトソール２２に積層されたミッドソール２４とを有している。この底面２２ａは、前側から順に、爪先部２６、踏付け部２７、土踏まず部２８、踵部２９に区画される。
【００２１】
前記底面２２ａには、底面２２ａに付着した水を排水するための溝３０が設けられている。本実施形態の溝３０は、後側主溝３２と、前側主溝３３と、枝溝３４と、細溝３６とを有している。また、底面２２ａの土踏まず部２８には、溝が設けられていない。
【００２２】
後側主溝３２と、前側主溝３３は、排水路の最も主流となるものである。後側主溝３２は、アウトソールの底面の踵部後端中央縁部と、踵部前端中央縁部より内側の縁部とを連通するように形成され、後側は内側に膨らむように若干湾曲し、前側は外側に膨らむように若干湾曲している。前側主溝３３は、踏付け部後端中央縁部より内側の縁部と、爪先部前端中央縁部とを連通するように形成され、内側に膨らむように全体的に湾曲している。
【００２３】
本実施形態の後側主溝３２は、その溝幅とほぼ等しい間隔をおいて並列に２列配置された内後主溝３２ａおよび外後主溝３２ｂを有している。同様に、本実施形態の前側主溝３３は、その溝幅とほぼ等しい間隔をおいて並列に２列配置された内前主溝３３ａおよび外前主溝３３ｂを有している。本明細書において、符号３２は内後主溝３２ａおよび外後主溝３２ｂを総称し、符号３３は内前主溝３３ａおよび外前主溝３３ｂを総称する。
【００２４】
後側主溝３２の内後主溝３２ａおよび外後主溝３２ｂは、図２（ａ）に示すように、その長手方向に対して直交する幅方向の溝幅Ｗ１が４−８ｍｍの範囲、本実施形態においては６ｍｍで、高さ（深さ）Ｈ１が３−５ｍｍの範囲、本実施形態においては３．５ｍｍに形成されている。前側主溝３３も、図示しないが、後側主溝３２と同様の寸法を有する。後側主溝３２および前側主溝３３の溝幅が上記範囲を超えると、使用者が足裏に違和感を感じやすくなるとともに、接地面積が小さくなるため、滑りやすくなる。この範囲より小さいと排水性が小さくなる傾向がある。また、後側主溝３２および前側主溝３３の天壁は、その幅方向の断面形状が上方に凸の湾曲状に形成されている。なお、後側主溝３２および前側主溝３３の断面形状としては、天壁の角部を丸めることにより、水の流動性を高めることができる。また、後側主溝３２および前側主溝３３の本数は、それぞれ１本であってもよいし、３本以上であってもよい。
【００２５】
前記枝溝３４は、底面２２ａの内側部分および外側部分を複数のブロック３８（一部のみ符号を付してある。）に分割するとともに、底面２２ａの排水路を多くし、かつ歩行時に底面２２ａのブロック３８と歩行面との間に介在する水の一部を後側主溝３２および前側主溝３３に速やかに流入させ、残りの水を底面２２ａの内側縁部あるいは外側縁部を介して外部に速やかに排水させるためのものである。
【００２６】
本実施形態の枝溝３４は、下記第１主枝溝３４ａ〜第５主枝溝３４ｅを有する。
・踵部２９の後端外側縁部と、外後主溝３２ｂの前端部分とを連通する第１主枝溝３４ａ。
・踵部２９の後端内側縁部と、内後主溝３２ａの前端部分とを連通する第２主枝溝３４ｂ。
・踏付け部２７の後端外側縁部と、外前主溝３３ｂの前側部分とを連通する第３主枝溝３４ｃ。
・第３主枝溝３４ｃの後側部分と、爪先部２６の前端外側縁部とを連通する第４主枝溝３４ｄ。
・踏付け部２７の後端内側縁部と、爪先部２６の前端内側縁部とを連通する第５主枝溝３４ｅ。
【００２７】
上記第１〜第５主枝溝３４ａ〜３４ｅは、図２（ｂ）に示すように、その長手方向に対して直交する幅方向の溝幅Ｗ２が４−８ｍｍの範囲、本実施形態においては６．０ｍｍで、高さ（深さ）Ｈ２が３−５ｍｍの範囲、本実施形態においては３．５ｍｍに形成されている。また、第１〜第５主枝溝３４ａ〜３４ｅの天壁は、その幅方向の断面形状が上方に凸の湾曲状に形成されている。
【００２８】
また、本実施形態の枝溝３４は、下記接続溝３４ｆ、外側連通溝３４ｇ、内側連通溝３４ｈ、第１サブ溝３４ｉ、第２サブ溝３４ｊを有する。
・後側主溝３２または前側主溝３３と、主枝溝３４ａ〜３４ｅとを連通する複数の接続溝３４ｆ（一部のみ符号を付してある。）。
・第１主枝溝３４ａまたは第４主枝溝３４ｄと、底面２２ａの外側縁部とを連通する複数の外側連通溝３４ｇ（一部のみ符号を付してある。）。
・第２主枝溝３４ｂまたは第５主枝溝３４ｅと、底面２２ａの内側縁部とを連通する複数の内側連通溝３４ｈ（一部のみ符号を付してある。）。
・第３主枝溝３４ｃと、第４主枝溝３４ｄとを連通する複数の第１サブ溝３４ｉ（一部のみ符号を付してある。）。
・踏付け部２７の後端外側縁部と、外前主溝３３ｂの後側部分とを連通する１つの第２サブ溝３４ｊ。
・第３主枝溝３４ｃと、第２サブ溝３４ｊとを連通する１つの第３サブ溝３４ｋ。
【００２９】
前記接続溝３４ｆは、図２（ｃ）に示すように、その長手方向に対して直交する幅方向の溝幅Ｗ３が３−６ｍｍの範囲、本実施形態においては４ｍｍで、高さ（深さ）Ｈ３が２−４．５ｍｍの範囲、本実施形態においては３．５ｍｍに形成されている。また、接続溝３４ｆの天壁は、その幅方向の断面形状が上方に凸の湾曲状に形成されている。さらに、後側主溝３２または前側主溝３３と第１〜第５主枝溝３４ａ〜３４ｅとを直接接続する接続溝３４ｆは、基本的には、後側主溝３２または前側主溝３３との接続端が前方とされ、各枝溝３４ａ〜３４ｅとの接続端が後方となるように、傾けて配置されている。接続溝３４ｆに上記のような傾斜をもたせることにより、接続溝３４ｆからの水が後側主溝３２または前側主溝３３に容易に流入するようにしている。なお、接続溝３４ｆの断面形状としては、天壁の角部を丸めることが前述の点で好ましい。
【００３０】
前記外側連通溝３４ｇおよび内側連通溝３４ｈは、それぞれ底面２２ａの外側縁部あるいは内側縁部に向かって溝幅が次第に大きくなるように形成されている。なお、外側連通溝３４ｇおよび内側連通溝３４ｈは、それぞれ底面２２ａの外側縁部あるいは外側縁部に向かって高さが次第に大きくなるように形成されているものであってもよいし、溝幅および高さの両者が次第に大きくなるように形成されているものであってもよい。また、外側連通溝３４ｇおよび内側連通溝３４ｈは、後側主溝３２または前側主溝３３の長手方向に対して傾けて設けられているが、これらは溝の断面積が外側に向かって増大していればよく、溝の形状は何でもよい。
【００３１】
なお、枝溝３４（符号３４は、主枝溝３４ａ〜３４ｅ、接続溝３４ｆ、外側連通溝３４ｇ、内側連通溝３４ｈ、第１サブ溝３４ｉ、第２サブ溝３４ｊ、第３サブ溝ｋを総称する。）としては、一端が後側主溝３２または前側主溝３３に直接あるいは間接的に連通し、他端が底面２２ａの内側縁部あるいは外側縁部に直接あるいは間接的に連通しているものであればよい。
【００３２】
前記複数のブロック３８のそれぞれには、一端が枝溝３４あるいは底面２２ａの周縁部に連通し、他端が閉塞された細溝３６（一部のみ符号を付してある。）が設けられている。この場合、各細溝３６は葉脈形の形状をなしているものが多い。そして、上記葉脈形の基端が枝溝３４あるいは底面２２ａの周縁部に連通しているものが多く、これにより細溝３６内の水が枝溝３４に容易に流入したり、底面２２ａの周縁部から外部に容易に流出したりするようになっている。これらの細溝３６は、図２（ｄ）に示すように、その長手方向に対して直交する幅方向の溝幅Ｗ４が２−４ｍｍの範囲、本実施形態においては基端側が２．２ｍｍ、末端側が２．０ｍｍで、高さ（深さ）Ｈ４が１−４ｍｍの範囲、本実施形態においては基端側が２．５ｍｍ、末端側が２．０ｍｍに形成されている。また、細孔は、その幅方向の断面形状が上方に凸の湾曲状に形成されている。
【００３３】
なお、靴底２０の底面２２ａのうち、内後主溝３２ａと外後主溝３２ｂとの間、および、内前主溝３３ａと外前主溝３３ｂとの間に位置する部分には、枝溝３４および細溝３６は形成されておらず、平坦面とされているが、溝を設けてもよい。
【００３４】
つぎに、前述した構成からなる本実施形態の作用について説明する。
【００３５】
本実施形態の靴底２０によれば、歩行時に靴底２０の底面２２ａと歩行面との間に介在する水は、歩行時における歩行者の動作により、後側主溝３２、前側主溝３３、枝溝３４および細溝３６に流入する。そして、後側主溝３２および前側主溝３３に流入した水は、後側主溝３２および前側主溝３３の後側から前側に向かって流動して、後側主溝３２および前側主溝３３の前端から外部に排水される。この場合、本実施形態によれば、後側主溝３２が、アウトソールの底面の踵部後端中央縁部と、踵部前端中央縁部より内側の縁部とを連通しているため、歩行時に足の踏付け部で歩行面を蹴り出し、靴底の踵部が歩行面から大きく離れたときの後側主溝における水の流動性が向上するため、後側主溝の前端から水が良好に排出される。また、前側主溝３３が、踏付け部後端中央縁部より内側の縁部と、爪先部前端中央縁部とを連通し、内方に膨らむように全体的に湾曲しているので、歩行時に足の爪先部で歩行面を蹴り出し、靴底の踏付け部が歩行面から大きく離れたときの前側主溝における水の流動性が向上するため、前側主溝の前端から水が良好に排出される。すなわち、太い主流となる後側主溝３２および前側主溝３３により素速く排水することができる。その結果、水に濡れた歩行面の歩行時に滑りにくい。さらに、後側主溝３２および前側主溝３３を、それぞれ内主溝３２ａ、３３ａおよび外主溝３２ｂ、３３ｂの２つとすることで、排水を内外に分けることができるとともに、後側主溝および前側主溝を２つに分けない場合には、これら主溝内で両側からの水がぶつかって乱流が生じる可能性があるが、この乱流を防止してスムースな水流を確保することができる。また、後側主溝３２および前側主溝３３により素速く排水することができるので、底面２２ａに水がなくなるから、水跳ねを低減することもできる。
【００３６】
前記枝溝３４のうちの第１主枝溝３４ａに流入した水は、第１主枝溝３４ａを後側から前側に流動して外後主溝３２ｂに流入する。枝溝３４のうちの第２主枝溝３４ｂに流入した水は、第２主枝溝３４ｂを後側から前側に流動して内後主溝３２ａに流入する。枝溝３４のうちの第３主枝溝３４ｃに流入した水は、第３主枝溝３４ｃを後側から前側に流動して外前主溝３３ｂに流入する。枝溝３４のうちの第４主枝溝３４ｄに流入した水は、第４主枝溝３４ｄを後側から前側に流動して爪先部２６前端外側縁部から外部に排水される。枝溝３４のうちの第５主枝溝３４ｅに流入した水は、第５主枝溝３４ｅを後側から前側に流動して爪先部２６前端内側縁部から外部に排水される。枝溝３４のうちの接続溝３４ｆに流入した水は、後側主溝３２または前側主溝３３に流入する。枝溝３４のうちの外側連通溝３４ｇに流入した水は、外側連通溝３４ｇを外側に向かって流動して外周縁部から排水される。枝溝３４のうちの内側連通溝３４ｈに流入した水は、内側連通溝３４ｈを内側に向かって流動して内周縁部から排水される。
【００３７】
したがって、枝溝３４は、底面２２ａの内側部分および外側部分を複数のブロック３８に分割できるし、排水路を多くできるし、排水までの水の移動距離（排水路の長さ）を短くできるので、より素早く排水できる。
【００３８】
また、外側連通溝３４ｇおよび内側連通溝３４ｈを、それぞれ底面２２ａの外側縁部あるいは外側縁部に向かって溝幅が次第に大きくなるように形成していることにより、排水出口の溝幅方向の断面積である流路面積が大きくなるので、排水性を向上できる。
【００３９】
前記細溝３６に流入した水は、枝溝３４に流入するか、底面２２ａの周縁部から外部に排水される。
【００４０】
したがって、細溝３６は、排水路をより多くできるし、歩行時に底面２２ａのブロック３８と歩行面との間に介在する水を外側連通溝３４ｇや内側連通溝３４ｈにより速やかに流入させたり、底面２２ａの周縁部からより速やかに排水させたりすることができる。
【００４１】
このように、本実施形態の靴底２０によれば、溝３０は、前述した後側主溝３２および前側主溝３３を有する構成とされているから、歩行時において底面２２ａに踵部２９から爪先部２６に向かって順次加わる圧力と接触部分の移動により、底面２２ａと歩行面との間に介在する水を後側主溝３２および前側主溝３３に流入させ、さらに、踵部２９が歩行面から離れたときに後側主溝３２の前端から速やかに排水するとともにし、踏付け部２８が歩行面から離れたときに前側主溝３３の前端から速やかに排水する。その結果、溝３０による排水性を向上できる。
【００４２】
本実施形態の靴底２０によれば、底面２２ａの内側部分および外側部分を複数のブロック３８に分割するように設けられた複数の枝溝３４を有し、複数の枝溝のそれぞれは、一端が後側主溝３２または前側主溝３３に直接あるいは間接的に連通し、他端が底面２２ａの内側縁部または外側縁部に直接あるいは間接的に連通しているから、複数の枝溝３４は、排水路を多くすることができる。また、歩行時に底面２２ａのブロック３８と歩行面との間に介在する水を枝溝３４に速やかに流入させて、後側主溝３２や前側主溝３３に流入させたり、底面２２ａの内側縁部あるいは外側縁部を介して外部に速やかに排水させたりすることができる。また、後側主溝３２または前側主溝３３を踵部２９から爪先部２６に向かって流動する水の少なくとも一部を内側縁部あるいは外側縁部を介して外部に排水できる。すなわち、水の少なくとも一部の排水路を短くすることができる。
【００４３】
本実施形態の靴底２０によれば、複数の枝溝３４のそれぞれは、溝幅が後側主溝３２および前側主溝３３の溝幅より小さく形成されているから、枝溝３４から後側主溝３２および前側主溝３３への水の流動性を向上できるので、排水性を向上できる。
【００４４】
本実施形態の靴底２０によれば、底面２２ａの内側縁部あるいは外側縁部に直接連通している外側連通溝３４ｇおよび内側連通溝３４ｈは、底面２２ａの内側縁部あるいは外側縁部に向かって溝幅が次第に大きくなるように形成されているから、外側連通溝３４ｇおよび内側連通溝３４ｈによる水の排水出口を大きくできる。その結果、排水性を向上できる。
【００４５】
本実施形態の靴底２０によれば、複数のブロック３８のそれぞれに、一端が枝溝３４あるいは底面２２ａの周縁部に連通し、他端が閉塞された細溝３６が設けられているから、排水路をより多くできる。また、細溝３６は、歩行時に底面２２ａのブロック３８と歩行面との間に介在する水を外側連通溝３４ｇおよび内側連通溝３４ｈにより速やかに流入させたり、あるいは底面２２ａの周縁部からより速やかに排水させたりすることができる。
【００４６】
本実施形態の靴底２０によれば、後側主溝３２および前側主溝３３は、それぞれ、間隔をおいて並列に２列配置された内後主溝３２ａ、外後主溝３２ｂおよび内前主溝３３ａ、外前主溝３３ｂを有し、内後主溝３２ａと外後主溝３２ｂとの間、内前主溝３３ａと外前主溝３３ｂとの間には、枝溝３４および細溝３６が設けられていないから、内後主溝３２ａおよび内前主溝３３ａは、底面２２ａの内側に付着した水を集水して排水し、外後主溝３２ｂおよび外前主溝３３ｂは、底面２２ａの外側に付着した水を集水して排水するので、集水および排水機能を内側と外側とに２分割できる。また、後側主溝３２内および前側主溝３３内で両側からの水がぶつかって乱流が生じることを防止して、スムースな水流を確保することができる。
【００４７】
本実施形態の靴１０によれば、本実施形態の靴底２０を装着した構成とされているから、靴底２０の溝３０による排水性を向上できる。また、靴底２０の溝３０による排水性を向上できるので、水に濡れた歩行面を移動する歩行時に滑りにくい。さらに、靴底２０の底面２２ａに水が少なくなるから、水跳ねを低減することもできる。
【００４８】
なお、本発明は、前述した実施形態に限定されるものではなく、必要に応じて種々の変更が可能である。例えば、本実施形態では、内後主溝３２ａ、外後主溝３２ｂ、内前主溝３３ａ、外前主溝３３ｂの溝幅Ｗ１（６ｍｍ）と、主枝溝３４ａ〜３４ｅの溝幅Ｗ２（６ｍｍ）とを等しくしたが、溝幅Ｗ２を溝幅Ｗ１より小さくしてもよい。また、内後主溝３２ａ、外後主溝３２ｂ、内前主溝３３ａ、外前主溝３３ｂの各溝幅を異ならせたり、主枝溝３４ａ〜３４ｅの各溝幅を異ならせたりしてもよい。
【符号の説明】
【００４９】
１０  靴
２０  靴底
２２  アウトソール
２６  爪先部
２７  踏付け部
２８  土踏まず部
２９  踵部
３０  溝
３２  後側主溝
３３  前側主溝
３２ａ  内後主溝
３２ｂ  外後主溝
３３ａ  内前主溝
３３ｂ  外前主溝
３４  枝溝
３４ａ  第１枝溝
３４ｂ  第２枝溝
３４ｃ  第３枝溝
３４ｄ  第４枝溝
３４ｅ  第５枝溝
３４ｆ  接続溝
３４ｇ  外側連通溝
３４ｈ  内側連通溝
３４ｉ  第１サブ溝
３４ｊ  第２サブ溝
３４ｋ  第３サブ溝
３６  細溝
３８  ブロック
【図１】
2013000541.tif 000003
【図２】
2013000541.tif 000004